(57)【要約】      （修正有）【課題】自然な音程で音声を再生可能であり、音質を向上させる。【解決手段】前記音声データを区画することによって複数の音声データブロックを設定する音声データブロック設定ステップＳ２１と、前記音声データブロック設定ステップによって設定された音声データブロックのそれぞれに対応するように、前記音声データに音声データセグメントを設定するセグメント設定ステップＳ４１と、前記セグメント設定ステップによって設定された音声データセグメントのそれぞれについて、時間軸における位置および長さを調整するセグメント調整ステップＳ５１と、前記セグメント調整ステップによって調整された音声データセグメントのそれぞれを、時間軸に沿うように互いにオーバーラップさせて結合することによって、前記音声再生データを生成する音声再生データ生成ステップＳ７１とを有する。【選択図】図３
2010017216.tif 000002
【特許請求の範囲】
【請求項１】
設定された再生速度の倍率に対応するように、音声データをＯＬＡ法によって音声再生データに変換する音声データ処理装置であって、
前記音声データを区画することによって複数の音声データブロックを設定する音声データブロック設定部と、
前記音声データブロック設定部によって設定された音声データブロックのそれぞれに対応するように、前記音声データに音声データセグメントを設定するセグメント設定部と、
前記セグメント設定部によって設定された音声データセグメントのそれぞれについて、時間軸における位置および長さを調整するセグメント調整部と、
前記セグメント調整部によって調整された音声データセグメントのそれぞれを、時間軸に沿うように互いにオーバーラップさせて結合することによって、前記音声再生データを生成する音声再生データ生成部と
を有し、
前記セグメント調整部は、
前記セグメント設定部によって設定された音声データセグメントの時間軸の始点側に位置する所定領域を第１シミラリティ算出領域として設定すると共に、当該音声データセグメントの時間軸の終点側に位置する所定領域を第２シミラリティ算出領域として設定するシミラリティ算出領域設定部と、
前記シミラリティ算出領域設定部によって第１シミラリティ算出領域と第２シミラリティ算出領域とが設定された音声データセグメントにおいて、時間軸に沿うように順次並ぶ第１音声データセグメントと第２音声データセグメントとのそれぞれについて、当該第１音声データセグメントに設定された第２シミラリティ算出領域の音声データの波形と、当該第２音声データセグメントに設定された第１シミラリティ算出領域の音声データの波形との間のシミラリティを算出するシミラリティ算出部と
を含み、
前記音声データセグメントの時間軸の始点と終点とのそれぞれを時間軸に沿って移動させた範囲において、前記シミラリティ算出部によって算出されるシミラリティに基づいて、前記音声データセグメントの時間軸における位置および長さを調整する
音声データ処理装置。
【請求項２】
前記セグメント調整部は、前記音声データセグメントの時間軸の始点と終点とのそれぞれを時間軸に沿って移動させた範囲において、前記シミラリティ算出部によって算出されるシミラリティが最大値になるように、前記音声データセグメントの時間軸における位置および長さを調整する、
請求項１に記載の音声データ処理装置。
【請求項３】
前記シミラリティ算出部は、前記第１音声データセグメントに設定された第２シミラリティ算出領域の音声データの波形と、前記第２音声データセグメントに設定された第１シミラリティ算出領域の音声データの波形との相互相間関数値を、前記シミラリティとして算出する、
請求項１または２に記載の音声データ処理装置。
【請求項４】
前記音声再生データ生成部は、
前記セグメント調整部によって調整された音声データセグメントのそれぞれにおいて、時間軸の始点から所定時間が経過した領域を第１オーバーラップ領域として設定すると共に、当該音声データセグメントにおいて時間軸の終点から所定時間が遡った領域を第２オーバーラップ領域として設定するオーバーラップ領域設定部
を有し、
当該音声再生データ生成部は、前記セグメント調整部によって調整された音声データセグメントにて時間軸に沿うように順次並ぶ第１音声データセグメントと第２音声データセグメントとのそれぞれにおいて、前記オーバーラップ領域設定部によって前記第１音声データセグメントに設定された第２オーバーラップ領域と、前記第２音声データセグメントに設定された第１オーバーラップ領域とを、互いがオーバーラップするように結合させることによって、前記音声再生データを生成する、
請求項１から３のいずれかに記載の音声データ処理装置。
【請求項５】
前記オーバーラップ領域設定部は、前記シミラリティ算出領域設定部によって設定した第１シミラリティ算出領域を前記第１オーバーラップ領域として設定すると共に、前記シミラリティ算出領域設定部によって設定した第２シミラリティ算出領域を前記第２オーバーラップ領域として設定する、
請求項４に記載の音声データ処理装置。
【請求項６】
設定された再生速度の倍率に対応するように、音声データをＯＬＡ法によって音声再生データに変換する音声データ処理方法であって、
前記音声データを区画することによって複数の音声データブロックを設定する音声データブロック設定ステップと、
前記音声データブロック設定ステップによって設定された音声データブロックのそれぞれに対応するように、前記音声データに音声データセグメントを設定するセグメント設定ステップと、
前記セグメント設定ステップによって設定された音声データセグメントのそれぞれについて、時間軸における位置および長さを調整するセグメント調整ステップと、
前記セグメント調整ステップによって調整された音声データセグメントのそれぞれを、時間軸に沿うように互いにオーバーラップさせて結合することによって、前記音声再生データを生成する音声再生データ生成ステップと
を有し、
前記セグメント調整ステップは、
前記セグメント設定ステップによって設定された音声データセグメントの時間軸の始点側に位置する所定領域を第１シミラリティ算出領域として設定すると共に、当該音声データセグメントの時間軸の終点側に位置する所定領域を第２シミラリティ算出領域として設定するシミラリティ算出領域設定ステップと、
前記シミラリティ算出領域設定ステップによって第１シミラリティ算出領域と第２シミラリティ算出領域とが設定された音声データセグメントにおいて、時間軸に沿うように順次並ぶ第１音声データセグメントと第２音声データセグメントとのそれぞれについて、当該第１音声データセグメントに設定された第２シミラリティ算出領域の音声データの波形と、当該第２音声データセグメントに設定された第１シミラリティ算出領域の音声データの波形との間のシミラリティを算出するシミラリティ算出ステップと
を含み、
前記音声データセグメントの時間軸の始点と終点とのそれぞれを時間軸に沿って移動させた範囲において、前記シミラリティ算出部によって算出されるシミラリティに基づいて、前記音声データセグメントの時間軸における位置および長さを調整する
音声データ処理方法。
【請求項７】
前記セグメント調整ステップにおいては、前記音声データセグメントの時間軸の始点と終点とのそれぞれを時間軸に沿って移動させた範囲において、前記シミラリティ算出ステップによって算出されるシミラリティが最大値になるように、前記音声データセグメントの時間軸における位置および長さを調整する、
請求項６に記載の音声データ処理方法。
【請求項８】
前記シミラリティ算出ステップにおいては、前記第１音声データセグメントに設定された第２シミラリティ算出領域の音声データの波形と、前記第２音声データセグメントに設定された第１シミラリティ算出領域の音声データの波形との相互相間関数値を、前記シミラリティとして算出する、
請求項６または７に記載の音声データ処理方法。
【請求項９】
前記音声再生データ生成ステップは、
前記セグメント調整ステップによって調整された音声データセグメントのそれぞれにおいて、時間軸の始点から所定時間が経過した領域を第１オーバーラップ領域として設定すると共に、当該音声データセグメントにおいて時間軸の終点から所定時間が遡った領域を第２オーバーラップ領域として設定するオーバーラップ領域設定ステップ
を有し、
当該音声再生データ生成ステップにおいては、前記セグメント調整ステップによって調整された音声データセグメントにて時間軸に沿うように順次並ぶ第１音声データセグメントと第２音声データセグメントとのそれぞれにおいて、前記オーバーラップ領域設定ステップによって前記第１音声データセグメントに設定された第２オーバーラップ領域と、前記第２音声データセグメントに設定された第１オーバーラップ領域とを、互いがオーバーラップするように結合させることによって、前記音声再生データを生成する、
請求項６から８のいずれかに記載の音声データ処理方法。
【請求項１０】
前記オーバーラップ領域設定ステップにおいては、前記シミラリティ算出領域設定ステップによって設定した第１シミラリティ算出領域を前記第１オーバーラップ領域として設定すると共に、前記シミラリティ算出領域設定ステップによって設定した第２シミラリティ算出領域を前記第２オーバーラップ領域として設定する、
請求項９に記載の音声データ処理方法。
【請求項１１】
被検体の撮影領域についてスキャンを実施することによって、前記被検体の撮影領域をイメージングするイメージング装置であって、
設定された再生速度の倍率に対応するように、音声データをＯＬＡ法によって音声再生データに変換する音声データ処理部と、
前記音声データ処理部によって変換された音声再生データを出力することによって、前記被検体に音声情報を提供する音声情報提供部と
を具備し、
前記音声データ処理部は、
前記音声データを区画することによって複数の音声データブロックを設定する音声データブロック設定部と、
前記音声データブロック設定部によって設定された音声データブロックのそれぞれに対応するように、前記音声データに音声データセグメントを設定するセグメント設定部と、
前記セグメント設定部によって設定された音声データセグメントのそれぞれについて、時間軸における位置および長さを調整するセグメント調整部と、
前記セグメント調整部によって調整された音声データセグメントのそれぞれを、時間軸に沿うように互いにオーバーラップさせて結合することによって、前記音声再生データを生成する音声再生データ生成部と
を有し、
前記セグメント調整部は、
前記セグメント設定部によって設定された音声データセグメントの時間軸の始点側に位置する所定領域を第１シミラリティ算出領域として設定すると共に、当該音声データセグメントの時間軸の終点側に位置する所定領域を第２シミラリティ算出領域として設定するシミラリティ算出領域設定部と、
前記シミラリティ算出領域設定部によって第１シミラリティ算出領域と第２シミラリティ算出領域とが設定された音声データセグメントにおいて、時間軸に沿うように順次並ぶ第１音声データセグメントと第２音声データセグメントとのそれぞれについて、当該第１音声データセグメントに設定された第２シミラリティ算出領域の音声データの波形と、当該第２音声データセグメントに設定された第１シミラリティ算出領域の音声データの波形との間のシミラリティを算出するシミラリティ算出部と
を含み、
前記音声データセグメントの時間軸の始点と終点とのそれぞれを時間軸に沿って移動させた範囲において、前記シミラリティ算出部によって算出されるシミラリティに基づいて、前記音声データセグメントの時間軸における位置および長さを調整する
イメージング装置。
【請求項１２】
前記セグメント調整部は、前記音声データセグメントの時間軸の始点と終点とのそれぞれを時間軸に沿って移動させた範囲において、前記シミラリティ算出部によって算出されるシミラリティが最大値になるように、前記音声データセグメントの時間軸における位置および長さを調整する、
請求項１１に記載のイメージング装置。
【請求項１３】
前記シミラリティ算出部は、前記第１音声データセグメントに設定された第２シミラリティ算出領域の音声データの波形と、前記第２音声データセグメントに設定された第１シミラリティ算出領域の音声データの波形との相互相間関数値を、前記シミラリティとして算出する、
請求項１１または１２に記載のイメージング装置。
【請求項１４】
前記音声再生データ生成部は、
前記セグメント調整部によって調整された音声データセグメントのそれぞれにおいて、時間軸の始点から所定時間が経過した領域を第１オーバーラップ領域として設定すると共に、当該音声データセグメントにおいて時間軸の終点から所定時間が遡った領域を第２オーバーラップ領域として設定するオーバーラップ領域設定部
を有し、
当該音声再生データ生成部は、前記セグメント調整部によって調整された音声データセグメントにて時間軸に沿うように順次並ぶ第１音声データセグメントと第２音声データセグメントとのそれぞれにおいて、前記オーバーラップ領域設定部によって前記第１音声データセグメントに設定された第２オーバーラップ領域と、前記第２音声データセグメントに設定された第１オーバーラップ領域とを、互いがオーバーラップするように結合させることによって、前記音声再生データを生成する、
請求項１１から１３のいずれかに記載のイメージング装置。
【請求項１５】
前記オーバーラップ領域設定部は、前記シミラリティ算出領域設定部によって設定した第１シミラリティ算出領域を前記第１オーバーラップ領域として設定すると共に、前記シミラリティ算出領域設定部によって設定した第２シミラリティ算出領域を前記第２オーバーラップ領域として設定する、
請求項１４に記載のイメージング装置。
【請求項１６】
前記音声情報提供部は、前記被検体について前記スキャンを実施する際に、前記被検体に音声情報を提供する、
請求項１１から１５のいずれかに記載のイメージング装置。
【請求項１７】
前記音声データ処理部は、前記被検体について前記スキャンが開始される前の時点から、開始される時点までの間に前記音声再生データの再生が完了するように、前記音声データを変換する、
請求項１１から１６のいずれかに記載のイメージング装置。
【請求項１８】
前記スキャンを実施するスキャン部
を有し、
前記スキャン部は、静磁場空間において前記被検体の撮影領域から磁気共鳴信号を収集するように前記スキャンを実施する、
請求項１１から１７のいずれかに記載のイメージング装置。
【発明の詳細な説明】
【技術分野】
【０００１】
本発明は、音声データ処理装置，音声データ処理方法、および、イメージング（Ｉｍａｇｉｎｇ）装置に関する。特に、ＯＬＡ（Ｏｖｅｒｌａｐ−Ａｄｄ）法によって、音声データを再生する際の再生速度の倍率に対応するように、その音声データを音声再生データに変換する音声データ処理装置，音声データ処理方法に関する。また、この音声データ処理装置を含むイメージング装置に関する。
【背景技術】
【０００２】
磁気共鳴イメージング（ＭＲＩ：Ｍａｇｎｅｔｉｃ  Ｒｅｓｏｎａｎｃｅ  Ｉｍａｇｉｎｇ）装置などのイメージング装置は、被検体の撮影領域についてスキャン（Ｓｃａｎ）を実施することによって、その撮影領域についてイメージングを実施する。
【０００３】
たとえば、磁気共鳴イメージング装置においては、静磁場が形成される撮像空間において被検体の撮影領域にＲＦパルスを送信することにより、その撮影領域におけるプロトンのスピンを核磁気共鳴（ＮＭＲ：Ｎｕｃｌｅａｒ  Ｍａｇｎｅｔｉｃ  Ｒｅｓｏｎａｎｃｅ）現象によって励起させ、その励起されたスピンにより発生する磁気共鳴（ＭＲ）信号を受信する。その後、このスキャンの実施により得られた磁気共鳴信号を、ローデータ（Ｒａｗ  Ｄａｔａ）として、その被検体の撮影領域について磁気共鳴画像を生成する。
【０００４】
このようなイメージング装置にて、人体などの生体である被検体について生成された画像においては、その被検体にて呼吸動作などの体動がスキャンの実施の際に生ずることによって、体動アーチファクトが生ずることがある。
【０００５】
このため、イメージングを実施する際においては、たとえば、呼吸によって体動が生ずることを防止するために、その呼吸動作についてガイドする呼吸ガイド情報を、撮影空間に収容された被検体に音声で伝達することが実施されている。
【０００６】
たとえば、被検体に呼吸動作を停止させる旨の音声データを、スキャンの実施のタイミングに合うように、スキャンの開始前に自動的に再生出力し指示している。つまり、いわゆるオートボイス（Ａｕｔｏ  Ｖｏｉｃｅ）機能を用いて、呼吸ガイド情報を被検体に音声で伝達している。
【０００７】
上記のように音声データを再生出力する際においては、その音声データの再生速度の倍率を変更する場合がある。
【０００８】
たとえば、上記のイメージング装置においては、被検体において流れる血液中に造影剤を注入し、その注入された造影剤が、その被検体にてイメージングが実施される撮影領域に到達するまでの間に、呼吸ガイド情報を示す音声の再生を完了するために、音声データの再生速度の倍率が変更される場合がある。
【０００９】
ここでは、設定された再生速度の倍率に対応するように、その音声データを音声再生データに変換するデータ処理を実施し、その変換した音声再生データを再生出力している。
【００１０】
再生速度を変更した場合には、一般に、その音声の音程が変化する。具体的には、再生速度の倍率を上げた場合（再生速度を速くした場合）には、高音になり、再生速度の倍率を下げた場合（再生速度を遅くした場合）には、低音になる。このように再生した音声の音程が変化するために、被検体がその再生された音声を正確に聞き取ることが容易でなく、撮影を効率的に実施することが困難な場合がある。
【００１１】
この不具合を改善するために、音程の変化を抑制する方法として、ＯＬＡ法が知られている（たとえば、特許文献１，特許文献２，特許文献３参照）。
【００１２】
また、このＯＬＡ法を更に改善する方法として、ＷＳＯＬＡ（Ｗａｖｅｆｏｒｍ  Ｓｉｍｉｌａｒｉｔｙ  Ｏｖｅｒｌａｐ−Ａｄｄ）法が知られている（たとえば、非特許文献１参照）。
【００１３】
【特許文献１】特開平０８−２８７６１２号公報
【特許文献２】特開２００５−２６６５７１号公報
【特許文献３】欧州特許ＥＰ０８６５０２６
【非特許文献１】W.Verhelst, M.Roelands,"An Overlap-Add Technique Based on Waveform Similarity (WSOLA) for High Quality Time-Scale Modification of Speech"，Acoustics, Speech, and Signal Processing, 1993. ICASSP-93.
【発明の開示】
【発明が解決しようとする課題】
【００１４】
図９と図１０は、ＯＬＡ法によって、音声データを再生する際の再生速度の倍率に対応するように、音声データを音声再生データに変換するデータ処理を示す図である。
【００１５】
ＯＬＡ法においては、図９（ａ）に示すように、音声データＤを入力後、図９（ｂ）に示すように、その音声データＤに複数の音声データブロックＢｎ（ｎ＝１，２，・・・，ｉ）（ｉは整数）を設定する。
【００１６】
ここでは、各音声データブロックＢｎの時間軸における長さ（時間間隔）Ｉｉｎが同じになるように、音声データＤを設定する。
【００１７】
具体的には、音声データブロックＢｎのそれぞれの長さＩｉｎが、所定値Ｉｏｕｔに再生速度倍率Ｖを乗算した値になるように規定する。たとえば、所定値Ｉｏｕｔを９０ｍｓとし、基準速度に対して２倍の再生速度にする際には、音声データブロックＢｎの長さＩｉｎを、１８０ｍｓとする。また、たとえば、所定値Ｉｏｕｔを９０ｍｓとし、基準速度に対して０．５倍の再生速度にする際には、音声データブロックＢｎの長さＩｉｎを、４５ｍｓとする。
【００１８】
つぎに、図９（ｃ）に示すように、その設定された音声データブロックＢｎのそれぞれに対応するように、音声データＤに複数の音声データセグメントＳｎ（ｎ＝１，２，・・・，ｉ）（ｉは整数）を設定する。
【００１９】
ここでは、音声データブロックＢｎにおける時間軸の始点に、音声データセグメントＳｎにおける時間軸の始点が対応すると共に、音声データセグメントＳｎのそれぞれを、時間軸における長さＬＳｎが同じになるように規定する。
【００２０】
また、ここでは、図１０（ｄ）に示すように、上記にて設定された音声データセグメントＳｎのそれぞれにおいて、時間軸の始点から所定時間が経過した時点の間の領域を第１オーバーラップ領域Ｓｎａ（ｎ＝１，２，・・・，ｉ）（ｉは整数）として設定すると共に、その音声データセグメントＳｎにおいて時間軸の終点から所定時間が遡った時点の間の領域を第２オーバーラップ領域Ｓｎｂ（ｎ＝１，２，・・・，ｉ）（ｉは整数）として設定する。
【００２１】
具体的には、所定値Ｉｏｕｔに、各オーバーラップ領域Ｓｎａ，Ｓｎｂの長さＬＯを加算した値を、音声データセグメントＳｎの長さＬＳとして設定する。たとえば、所定値Ｉｏｕｔを９０ｍｓとし、各オーバーラップ領域Ｓｎａ，Ｓｎｂの長さＬＯを１０ｍｓとすることによって、音声データセグメントＳｎの長さＬＳを、１００ｍｓとする。
【００２２】
つぎに、図１０（ｅ）に示すように、その音声データセグメントＳｎにおいて設定された第１オーバーラップ領域Ｓ（ｎ−１）ａと第２オーバーラップ領域Ｓｎｂとを、順次、時間軸に沿って、互いがオーバーラップするように結合させることによって、音声再生データＤＳを生成する。
【００２３】
具体的には、第１音声データセグメントＳ１に設定された第２オーバーラップ領域Ｓ１ｂと、その第１音声データセグメントＳ１に時間軸にて並ぶ第２音声データセグメントＳ２に設定された第１オーバーラップ領域Ｓ２ａとを、互いがオーバーラップするように結合させる。そして、各音声データセグメントＳｎについて、順次、同様に処理を実施する。つまり、第２音声データセグメントＳ２と第３音声データセグメントＳ３とにおいて、同様な処理を実施後、第３音声データセグメントＳ３と第４音声データセグメントＳ４において、同様な処理を実施するように、データ処理を繰り返すことによって、音声再生データＤＳを生成する。
【００２４】
ここでは、各音声データセグメントＳｎの後段に設けられた第２オーバーラップ領域Ｓｎｂにおける音声データと、その次の音声データセグメントＳｎ＋１の前段に設けられた第１オーバーラップ領域Ｓ（ｎ＋１）ａの音声データとを合成し、その互いのオーバーラップ領域Ｓｎａ，Ｓ（ｎ＋１）ｂにおける音声データのパワーをノーマライズしている。たとえば、各音声データセグメントＳｎに、台形形状のウィンドウ関数を積算した後に合成している。
【００２５】
このため、ＯＬＡ法によれば、再生速度を変更する場合における音程の変化を抑制することができる。
【００２６】
しかし、ＯＬＡ法においては、音声データセグメントＳｎの第２オーバーラップ領域Ｓｎｂにおける音声データの波形が、その次の音声データセグメントＳｎ＋１においてオーバーラップさせる第１オーバーラップ領域Ｓ（ｎ＋１）ａの音声データの波形と著しく相違する場合がある。このため、その互いのオーバーラップ領域Ｓｎｂ，Ｓ（ｎ＋１）ａにおいて合成された音声が、不自然になる場合がある。
【００２７】
このような不具合を改善するために、上記のＯＬＡ法を改良したＷＳＯＬＡ法が提案されている。
【００２８】
図１１と図１２は、ＷＳＯＬＡ法によって、音声データを再生する際の再生速度の倍率に対応するように、音声データを音声再生データに変換するデータ処理を示す図である。
【００２９】
ＷＳＯＬＡ法においては、ＯＬＡ法と同様に、図９（ａ）〜（ｃ）に示すように、音声データＤに複数の音声データブロックＢｎを設定した後に、その設定された音声データブロックＢｎのそれぞれに対応するように、音声データセグメントＳｎを設定する。
【００３０】
しかしながら、ＯＬＡ法と異なり、ＷＳＯＬＡ法においては、図９（ａ）〜（ｃ）に示すステップの実施後に、音声データセグメントＳｎにおいて第２オーバーラップ領域Ｓｎｂを含む領域の音声データの波形と、その次の音声データセグメントＳｎ＋１において第１オーバーラップ領域Ｓ（ｎ＋１）ａを含む領域の音声データの波形とが、互いに近似するように、その次の音声データセグメントＳｎ＋１の時間軸における位置を調整する。つまり、音声データセグメントＳｎにおいて第２オーバーラップ領域Ｓｎｂを含む領域の音声データの波形と、その次の音声データセグメントＳｎ＋１において第１オーバーラップ領域Ｓ（ｎ＋１）ａを含む領域の音声データの波形との間の類似性を示すシミラリティ（Ｓｉｍｉｌａｒｉｔｙ）が大きくなるように、音声データセグメントＳ（ｎ＋１）を移動させる。
【００３１】
具体的には、図１１（ａ）に示すように、初期に設定された音声データセグメントＳｎのそれぞれにおいて、時間軸の始点から所定時間が経過した領域を第１シミラリティ算出領域Ｍｎａとして設定すると共に、時間軸の終点から所定時間が遡った領域を第２シミラリティ算出領域Ｍｎｂとして設定する。
【００３２】
そして、その音声データセグメントＳｎにて時間軸に沿うように順次並ぶ第１音声データセグメントＳ１と第２音声データセグメントＳ２とのそれぞれにおいて、第１音声データセグメントＳ１に設定された第２シミラリティ算出領域Ｍ１ｂの音声データの波形と、第２音声データセグメントＳ２に設定された第１シミラリティ算出領域Ｍ２ａの音声データの波形との間のシミラリティを算出する。たとえば、互いの波形の相互相間関数値を、シミラリティとして算出する。
【００３３】
つぎに、図１１（ｂ）に示すように、各音声データセグメントＳｎの位置を調整する。
【００３４】
ここでは、音声データセグメントＳｎの時間軸における位置を時間軸に沿って移動させた各位置において、上記のシミラリティを算出し、その移動させた範囲において算出されるシミラリティが最大値になる位置に各音声データセグメントＳｎを移動させる。
【００３５】
たとえば、図１１（ｂ）に示すように、第２音声データセグメントＳ２を時間軸に沿って所定範囲の間にて移動させた場合に、第１音声データセグメントＳ１の第２シミラリティ算出領域Ｍ１ｂにおける音声データの波形と、その第２音声データセグメントＳ２の第１シミラリティ算出領域Ｍ２ａの音声データの波形とのシミラリティが最大値になるように、第２音声データセグメントＳ２の位置を、初期位置から所定間隔ｄだけ、シフトした位置に調整する。このような処理を、各音声データセグメントＳｎのそれぞれについて順次実施し、各音声データセグメントＳｎのそれぞれの時間軸における位置を調整する。
【００３６】
つぎに、図１２（ｃ）に示すように、たとえば、上記にて設定した第１シミラリティ算出領域Ｍｎａと同じ領域を第１オーバーラップ領域Ｓｎａとして設定すると共に、たとえば、第２シミラリティ算出領域Ｍｎｂと同じ領域を第２オーバーラップ領域Ｓｎｂとして設定する。
【００３７】
その後、図１２（ｄ）に示すように、上記にて設定された第１オーバーラップ領域Ｓｎａと第２オーバーラップ領域Ｓｎｂとを、順次、時間軸に沿って、互いがオーバーラップするように結合させることによって、音声再生データＤＳを生成する。
【００３８】
このように、ＷＳＯＬＡ法においては、音声データセグメントＳｎの第２オーバーラップ領域Ｓｎｂにおける音声データの波形と、その次の音声データセグメントＳｎ＋１においてオーバーラップさせる第１オーバーラップ領域Ｓ（ｎ＋１）ｂの音声データの波形とを互いに類似させた後に、結合させている。このため、その各オーバーラップ領域Ｓｎｂ，Ｓ（ｎ＋１）ｂにおける音声データが合成された音声再生データは、上記したＯＬＡ法と比べて連続的になり、自然な音程で音声が再生される。
【００３９】
しかしながら、上記のＷＳＯＬＡ法を適用した場合においても、音声再生データが不自然に再生される場合がある。たとえば、音声データセグメントＳｎの第２オーバーラップ領域Ｓｎｂにおける音声データの波形と、その次の音声データセグメントＳｎ＋１においてオーバーラップさせる第１オーバーラップ領域Ｓ（ｎ＋１）ｂの音声データの波形との間のシミラリティの値が小さく、類似性に乏しい場合があるため、自然な音程で音声が再生されない場合がある。
【００４０】
このように、音声データを再生する際の再生速度の倍率に対応するように、音声データを音声再生データに変換し、その変換した音声再生データを再生出力する際においては、その音声再生データが不連続になり、不自然な音程で音声が再生されるなど、音質が低下する場合がある。
【００４１】
したがって、本発明は、音声の再生速度を変更する際において、その再生する音声の音質を向上することが可能な音声データ処理装置，音声データ処理方法、および、イメージング装置を提供する。
【課題を解決するための手段】
【００４２】
本発明は、設定された再生速度の倍率に対応するように、音声データをＯＬＡ法によって音声再生データに変換する音声データ処理装置であって、前記音声データを区画することによって複数の音声データブロックを設定する音声データブロック設定部と、前記音声データブロック設定部によって設定された音声データブロックのそれぞれに対応するように、前記音声データに音声データセグメントを設定するセグメント設定部と、前記セグメント設定部によって設定された音声データセグメントのそれぞれについて、時間軸における位置および長さを調整するセグメント調整部と、前記セグメント調整部によって調整された音声データセグメントのそれぞれを、時間軸に沿うように互いにオーバーラップさせて結合することによって、前記音声再生データを生成する音声再生データ生成部とを有し、前記セグメント調整部は、前記セグメント設定部によって設定された音声データセグメントの時間軸の始点側に位置する所定領域を第１シミラリティ算出領域として設定すると共に、当該音声データセグメントの時間軸の終点側に位置する所定領域を第２シミラリティ算出領域として設定するシミラリティ算出領域設定部と、前記シミラリティ算出領域設定部によって第１シミラリティ算出領域と第２シミラリティ算出領域とが設定された音声データセグメントにおいて、時間軸に沿うように順次並ぶ第１音声データセグメントと第２音声データセグメントとのそれぞれについて、当該第１音声データセグメントに設定された第２シミラリティ算出領域の音声データの波形と、当該第２音声データセグメントに設定された第１シミラリティ算出領域の音声データの波形との間のシミラリティを算出するシミラリティ算出部とを含み、前記音声データセグメントの時間軸の始点と終点とのそれぞれを時間軸に沿って移動させた範囲において、前記シミラリティ算出部によって算出されるシミラリティに基づいて、前記音声データセグメントの時間軸における位置および長さを調整する。
【００４３】
本発明は、設定された再生速度の倍率に対応するように、音声データをＯＬＡ法によって音声再生データに変換する音声データ処理方法であって、前記音声データを区画することによって複数の音声データブロックを設定する音声データブロック設定ステップと、前記音声データブロック設定ステップによって設定された音声データブロックのそれぞれに対応するように、前記音声データに音声データセグメントを設定するセグメント設定ステップと、前記セグメント設定ステップによって設定された音声データセグメントのそれぞれについて、時間軸における位置および長さを調整するセグメント調整ステップと、前記セグメント調整ステップによって調整された音声データセグメントのそれぞれを、時間軸に沿うように互いにオーバーラップさせて結合することによって、前記音声再生データを生成する音声再生データ生成ステップとを有し、前記セグメント調整ステップは、前記セグメント設定ステップによって設定された音声データセグメントの時間軸の始点側に位置する所定領域を第１シミラリティ算出領域として設定すると共に、当該音声データセグメントの時間軸の終点側に位置する所定領域を第２シミラリティ算出領域として設定するシミラリティ算出領域設定ステップと、前記シミラリティ算出領域設定ステップによって第１シミラリティ算出領域と第２シミラリティ算出領域とが設定された音声データセグメントにおいて、時間軸に沿うように順次並ぶ第１音声データセグメントと第２音声データセグメントとのそれぞれについて、当該第１音声データセグメントに設定された第２シミラリティ算出領域の音声データの波形と、当該第２音声データセグメントに設定された第１シミラリティ算出領域の音声データの波形との間のシミラリティを算出するシミラリティ算出ステップとを含み、前記音声データセグメントの時間軸の始点と終点とのそれぞれを時間軸に沿って移動させた範囲において、前記シミラリティ算出部によって算出されるシミラリティに基づいて、前記音声データセグメントの時間軸における位置および長さを調整する。
【００４４】
本発明は、被検体の撮影領域についてスキャンを実施することによって、前記被検体の撮影領域をイメージングするイメージング装置であって、設定された再生速度の倍率に対応するように、音声データをＯＬＡ法によって音声再生データに変換する音声データ処理部と、前記音声データ処理部によって変換された音声再生データを出力することによって、前記被検体に音声情報を提供する音声情報提供部とを具備し、前記音声データ処理部は、前記音声データを区画することによって複数の音声データブロックを設定する音声データブロック設定部と、前記音声データブロック設定部によって設定された音声データブロックのそれぞれに対応するように、前記音声データに音声データセグメントを設定するセグメント設定部と、前記セグメント設定部によって設定された音声データセグメントのそれぞれについて、時間軸における位置および長さを調整するセグメント調整部と、前記セグメント調整部によって調整された音声データセグメントのそれぞれを、時間軸に沿うように互いにオーバーラップさせて結合することによって、前記音声再生データを生成する音声再生データ生成部とを有し、前記セグメント調整部は、前記セグメント設定部によって設定された音声データセグメントの時間軸の始点側に位置する所定領域を第１シミラリティ算出領域として設定すると共に、当該音声データセグメントの時間軸の終点側に位置する所定領域を第２シミラリティ算出領域として設定するシミラリティ算出領域設定部と、前記シミラリティ算出領域設定部によって第１シミラリティ算出領域と第２シミラリティ算出領域とが設定された音声データセグメントにおいて、時間軸に沿うように順次並ぶ第１音声データセグメントと第２音声データセグメントとのそれぞれについて、当該第１音声データセグメントに設定された第２シミラリティ算出領域の音声データの波形と、当該第２音声データセグメントに設定された第１シミラリティ算出領域の音声データの波形との間のシミラリティを算出するシミラリティ算出部とを含み、前記音声データセグメントの時間軸の始点と終点とのそれぞれを時間軸に沿って移動させた範囲において、前記シミラリティ算出部によって算出されるシミラリティに基づいて、前記音声データセグメントの時間軸における位置および長さを調整する。
【発明の効果】
【００４５】
本発明は、音声の再生速度を変更する際において、その再生する音声の音質を向上することが可能な音声データ処理装置，音声データ処理方法、および、イメージング装置を提供することができる。
【発明を実施するための最良の形態】
【００４６】
本発明にかかる実施形態について説明する。
【００４７】
（装置構成）
図１は、本発明にかかる実施形態において、磁気共鳴イメージング装置１の構成を示す構成図である。
【００４８】
図１に示すように、磁気共鳴イメージング装置１は、スキャン部２と、操作コンソール部３とを有している。ここで、スキャン部２は、図１に示すように、静磁場マグネット部１２と、勾配コイル部１３と、ＲＦコイル部１４と、被検体移動部１５と、音声情報提供部１６と、ＲＦ駆動部２２と、勾配駆動部２３と、データ収集部２４とを有している。また、操作コンソール部３は、図１に示すように、制御部３０と、データ処理部３１と、操作部３２と、表示部３３と、記憶部３４とを有し、データ処理部３１が、音声データ処理部３１１と、画像生成部３１２とを有している。
【００４９】
スキャン部２について説明する。
【００５０】
スキャン部２は、操作コンソール部３から出力される制御信号に基づいて、被検体ＳＵの撮影領域についてスキャンを実施する。ここでは、スキャン部２は、たとえば、円筒形状になるように形成されており、その中心部分の円柱状の空間を撮像空間Ｂとして、被検体ＳＵを収容する。そして、スキャン部２は、被検体ＳＵの撮影領域についてスキャンを実施する際には、静磁場マグネット部１２によって静磁場が形成された撮像空間Ｂ内において、被検体移動部１５において載置された被検体ＳＵの撮影領域内のスピンを励起するようにＲＦコイル部１４がＲＦパルスを送信すると共に、そのＲＦパルスが送信された被検体ＳＵの撮影領域に勾配コイル部１３が勾配磁場を印加する。そして、被検体ＳＵの撮影領域において発生する磁気共鳴信号をＲＦコイル部１４が受信する。
【００５１】
スキャン部２の各構成要素について、順次、説明する。
【００５２】
静磁場マグネット部１２は、超伝導磁石（図示なし）を含み、被検体ＳＵが収容される撮像空間Ｂに静磁場を形成するように構成されている。ここでは、静磁場マグネット部１２は、被検体移動部１５において載置されている被検体ＳＵの体軸方向（ｚ方向）に沿うように、静磁場を形成する。すなわち、水平磁場型である。なお、この他に、静磁場マグネット部１２は、垂直磁場型であって、一対の永久磁石が対面する方向に沿って静磁場を形成する場合であってもよい。
【００５３】
勾配コイル部１３は、静磁場マグネット部１２によって静磁場が形成された撮像空間Ｂに勾配磁場を形成し、ＲＦコイル部１４が受信する磁気共鳴信号に空間位置情報を付加するように構成されている。ここでは、勾配コイル部１３は、ｘ方向とｙ方向とｚ方向との互いに直交する３軸方向のそれぞれに対応するように、３系統からなる。これらは、撮像条件に応じて、周波数エンコード方向と位相エンコード方向とスライス選択方向とのそれぞれに勾配磁場を形成するように、勾配パルスを送信する。具体的には、勾配コイル部１３は、被検体ＳＵのスライス選択方向に勾配磁場を印加し、ＲＦコイル部１４がＲＦパルスを送信することによって励起させる被検体ＳＵのスライスを選択する。また、勾配コイル部１３は、被検体ＳＵの位相エンコード方向に勾配磁場を印加し、ＲＦパルスにより励起されたスライスからの磁気共鳴信号を位相エンコードする。そして、勾配コイル部１３は、被検体ＳＵの周波数エンコード方向に勾配磁場を印加し、ＲＦパルスにより励起されたスライスからの磁気共鳴信号を周波数エンコードする。
【００５４】
ＲＦコイル部１４は、静磁場が形成される撮像空間Ｂ内において、電磁波であるＲＦパルスを被検体ＳＵの撮影領域に送信して高周波磁場を形成し、被検体ＳＵの撮影領域におけるプロトンのスピンを励起するように構成されている。また、ＲＦコイル部１４は、その励起された被検体ＳＵの撮影領域内のプロトンから発生する電磁波を磁気共鳴信号として受信するように構成されている。たとえば、ＲＦコイル部１４は、図１に示すように、送信コイル１４ａと、受信コイル１４ｂとを有する。ここで、送信コイル１４ａは、たとえば、バードゲージ型のボディコイルであり、被検体ＳＵの撮影領域を囲むように配置されており、ＲＦパルスを送信する。一方、受信コイル１４ｂは、表面コイルであり、磁気共鳴信号を受信する。
【００５５】
被検体移動部１５は、図１に示すように、クレードル１５ａとクレードル移動部１５ｂとを有しており、操作コンソール部３から出力される制御信号に基づいて、撮像空間Ｂの内部と外部との間において、クレードル移動部１５ｂがクレードル１５ａを移動するように構成されている。ここで、クレードル１５ａは、被検体ＳＵが載置される載置面を備えたテーブルであり、図１に示すように、クレードル移動部１５ｂによって、水平方向ｘｚと上下方向ｙとのそれぞれの方向に移動され、静磁場が形成される撮像空間Ｂに搬出入される。クレードル移動部１５ｂは、クレードル１５ａを移動させ、外部から撮像空間Ｂの内部へ収容させる。クレードル移動部１５ｂは、たとえば、ローラー式駆動機構を備えており、アクチュエータによりローラーを駆動させてクレードル１５ａを水平方向ｘｚに移動する。また、クレードル移動部１５ｂは、たとえば、アーム式駆動機構を備えており、交差した２本のアーム間の角度を可変することにより、クレードル１５ａを上下方向ｙに移動する。
【００５６】
音声情報提供部１６は、スピーカーを含むように構成されており、そのスピーカーから音声を出力することによって、被検体ＳＵに音声情報を提供する。本実施形態においては、音声情報提供部１６は、データ処理部３１の音声データ処理部３１１が音声データを変換して出力する音声再生データに基づいて、被検体ＳＵに音声情報を提供する。本実施形態においては、音声情報提供部１６は、被検体ＳＵについてスキャンを実施する際に、その被検体ＳＵに音声情報を提供する。
【００５７】
ＲＦ駆動部２２は、ＲＦコイル部１４を駆動させて撮像空間Ｂ内にＲＦパルスを送信させて、撮像空間Ｂに高周波磁場を形成するように構成されている。具体的には、ＲＦ駆動部２２は、操作コンソール部３から出力される制御信号に基づいて、ゲート変調器（図示なし）を用いてＲＦ発振器（図示なし）からの信号を所定のタイミングおよび所定の包絡線の信号に変調した後に、そのゲート変調器により変調された信号を、ＲＦ電力増幅器（図示なし）によって増幅してＲＦコイル部１４に出力し、ＲＦパルスを送信させる。
【００５８】
勾配駆動部２３は、操作コンソール部３からの制御信号に基づいて、勾配パルスを勾配コイル部１３に印加して駆動させ、静磁場が形成されている撮像空間Ｂ内に勾配磁場を形成するように構成されている。ここでは、勾配駆動部２３は、３系統の勾配コイル部１３に対応して３系統の駆動回路（図示なし）を有する。
【００５９】
データ収集部２４は、操作コンソール部３からの制御信号に基づいて、ＲＦコイル部１４が受信する磁気共鳴信号を収集するように構成されている。ここでは、データ収集部２４は、ＲＦコイル部１４が受信する磁気共鳴信号をＲＦ駆動部２２のＲＦ発振器（図示なし）の出力を参照信号として位相検波器（図示なし）が位相検波する。その後、Ａ／Ｄ変換器（図示なし）を用いて、このアナログ信号である磁気共鳴信号をデジタル信号に変換して出力する。
【００６０】
操作コンソール部３について説明する。
【００６１】
操作コンソール部３は、スキャン部２が被検体ＳＵの撮影領域についてスキャンを実施するように制御し、そのスキャン部２がスキャンを実施することによって収集した磁気共鳴信号に基づいて、被検体ＳＵの撮影領域について磁気共鳴画像を生成すると共に、その生成した磁気共鳴画像を表示するように構成されている。
【００６２】
操作コンソール部３の各構成要素について、順次、説明する。
【００６３】
制御部３０は、コンピュータと、コンピュータに所定のデータ処理を実行させるプログラムを記憶するメモリとを有しており、各部を制御する。ここでは、制御部３０は、オペレータによって操作部３２に入力された操作データに基づいて、被検体移動部１５と音声情報提供部１６とＲＦ駆動部２２と勾配駆動部２３とデータ収集部２４とのそれぞれに制御信号を出力することによって、スキャンを実行させる。また、これと共に、データ処理部３１と表示部３３と記憶部３４とへ、制御信号を出力し、制御を行う。
【００６４】
データ処理部３１は、コンピュータと、そのコンピュータを用いて所定のデータ処理を実行するプログラムを記憶するメモリとを有しており、制御部３０から出力された制御信号に基づいて、データ処理を実施する。ここでは、図１に示すように、データ処理部３１は、音声データ処理部３１１と、画像生成部３１２とを有しており、プログラムによってコンピュータが上記の各部として機能するように構成されている。
【００６５】
データ処理部３１の音声データ処理部３１１は、記憶されている音声データを、図１に示すように、スキャン部２において設置された音声情報提供部１６に、音声再生データとして出力することによって、音声を再生し、被検体ＳＵに音声情報を提供するように構成されている。本実施形態においては、音声データ処理部３１１は、オペレータによって操作部３２に入力されて設定された再生速度の倍率に対応するように、音声データをＯＬＡ法によって音声再生データに変換するデータ処理を実施する。ここでは、音声データ処理部３１１は、被検体ＳＵについてスキャンが開始される前の時点から、そのスキャンが開始される時点までの間に音声再生データの再生が完了する再生速度に対応するように、この音声データを変換する。
【００６６】
図２は、本発明にかかる実施形態において、音声データ処理部３１１を示す機能ブロック図である。
【００６７】
音声データ処理部３１１は、図２に示すように、音声データブロック設定部４１１と、セグメント設定部４２１と、セグメント調整部４３１と、音声再生データ生成部４４１とを有する。
【００６８】
音声データ処理部３１１の音声データブロック設定部４１１は、デジタル信号として入力された音声データを、等しい時間間隔で区画することによって、複数の音声データブロックを設定する。
【００６９】
音声データ処理部３１１のセグメント設定部４２１は、音声データブロック設定部４１１によって設定された音声データブロックのそれぞれに対応するように、音声データに音声データセグメントを設定する。
【００７０】
音声データ処理部３１１のセグメント調整部４３１は、セグメント設定部４２１によって設定された音声データセグメントのそれぞれについて、時間軸における位置および長さを調整する。
【００７１】
本実施形態においては、セグメント調整部４３１は、図２に示すように、シミラリティ算出領域設定部４３２とシミラリティ算出部４３３とを有している。
【００７２】
ここで、セグメント調整部４３１においてシミラリティ算出領域設定部４３２は、セグメント設定部４２１によって設定された音声データセグメントの時間軸の始点側に位置する所定領域を第１シミラリティ算出領域として設定すると共に、当該音声データセグメントの時間軸の終点側に位置する所定領域を第２シミラリティ算出領域として設定する。
【００７３】
また、セグメント調整部４３１においてシミラリティ算出部４３３は、シミラリティ算出領域設定部４３２によって第１シミラリティ算出領域と第２シミラリティ算出領域とが設定された音声データセグメントにおいて、時間軸に沿うように順次並ぶ第１音声データセグメントと第２音声データセグメントとのそれぞれについて、当該第１音声データセグメントに設定された第２シミラリティ算出領域の音声データの波形と、当該第２音声データセグメントに設定された第１シミラリティ算出領域の音声データの波形との間のシミラリティを算出する。
【００７４】
本実施形態においては、シミラリティ算出部４３３は、第１音声データセグメントに設定された第２シミラリティ算出領域の音声データの波形と、第２音声データセグメントに設定された第１シミラリティ算出領域の音声データの波形との相互相間関数値を、シミラリティとして算出する。
【００７５】
そして、セグメント調整部４３１は、音声データセグメントの時間軸の始点と終点とのそれぞれを時間軸に沿って移動させた範囲において、シミラリティ算出部４３３によって算出されるシミラリティに基づいて、音声データセグメントの時間軸における位置および長さを調整する。詳細については後述するが、本実施形態においては、セグメント調整部４３１は、音声データセグメントの時間軸の始点と終点とのそれぞれを時間軸に沿って移動させた範囲において、シミラリティ算出部によって算出されるシミラリティが最大値になるように、音声データセグメントの時間軸における位置および長さを調整する。
【００７６】
音声データ処理部３１１の音声再生データ生成部４４１は、セグメント調整部４３１によって調整された音声データセグメントのそれぞれを、時間軸に沿うように互いにオーバーラップさせて結合することによって、音声再生データを生成する。
【００７７】
本実施形態においては、図２に示すように、音声再生データ生成部４４１は、オーバーラップ領域設定部４４２を含む。
【００７８】
ここで、音声再生データ生成部４４１においてオーバーラップ領域設定部４４２は、セグメント調整部４３１によって調整された音声データセグメントのそれぞれにおいて、時間軸の始点から所定時間が経過した領域を第１オーバーラップ領域として設定すると共に、当該音声データセグメントにおいて時間軸の終点から所定時間が遡った領域を第２オーバーラップ領域として設定する。本実施形態においては、オーバーラップ領域設定部４４２は、シミラリティ算出領域設定部４３２によって設定した第１シミラリティ算出領域を第１オーバーラップ領域として設定すると共に、シミラリティ算出領域設定部４３２によって設定した第２シミラリティ算出領域を第２オーバーラップ領域として設定する。
【００７９】
そして、音声再生データ生成部４４１は、セグメント調整部４３１によって調整された音声データセグメントにて時間軸に沿うように順次並ぶ第１音声データセグメントと第２音声データセグメントとのそれぞれにおいて、オーバーラップ領域設定部４４２によって第１音声データセグメントに設定された第２オーバーラップ領域と、第２音声データセグメントに設定された第１オーバーラップ領域とを、互いがオーバーラップするように結合させることによって、この音声再生データを生成する。
【００８０】
データ処理部３１の画像生成部３１２は、スキャン部２がスキャンを実行することによって収集された磁気共鳴信号をローデータとし、被検体ＳＵについて磁気共鳴画像を生成する。具体的には、画像生成部３１２は、スキャンの実施によってデータ収集部２４が収集した磁気共鳴信号をデジタル信号として取得し、そのデジタル信号に変換された磁気共鳴信号に対して画像再構成処理を実施して、被検体ＳＵのスライス領域について磁気共鳴画像を生成する。たとえば、ｋ空間に対応するように収集された磁気共鳴信号を、逆フーリエ変換することによって、この磁気共鳴画像を再構成する。そして、画像生成部３１２は、その生成した磁気共鳴画像の画像データを表示部３３に出力する。
【００８１】
操作部３２は、キーボードやポインティングデバイスなどの操作デバイスにより構成されている。操作部３２は、オペレータによって操作データが入力され、その操作データを制御部３０に出力する。
【００８２】
表示部３３は、ＬＣＤ（Ｌｉｑｕｉｄ  Ｃｒｙｓｔａｌ  Ｄｉｓｐｌａｙ），ＣＲＴ（Ｃａｔｈｏｄｅ  Ｒａｙ  Ｔｕｂｅ）などの表示デバイスにより構成されており、制御部３０から出力される制御信号に基づいて、表示画面に画像を表示する。たとえば、表示部３３は、スキャンが実施される前においては、オペレータによって操作部３２に操作データが入力される入力項目を示す操作画像を、表示画面に表示する。また、表示部３３は、スキャンが実施された後においては、そのスキャンの実施にて収集された磁気共鳴信号に基づいてデータ処理部３１において生成された磁気共鳴画像を、表示画面に表示する。
【００８３】
記憶部３４は、メモリにより構成されており、各種データを記憶している。記憶部３４は、その記憶されたデータが必要に応じて制御部３０によってアクセスされる。
【００８４】
（動作）
以下より、上記の本発明にかかる実施形態の磁気共鳴イメージング装置１の動作について説明する。
【００８５】
本実施形態においては、被検体ＳＵが呼吸動作によって体動が生ずることを防止するために被検体に呼吸動作を停止させる旨の音声データを、ＯＬＡ法によって、スキャンの実施のタイミングに合うように、音声データの再生速度の倍率を変更して、スキャンの開始前に自動的に再生出力する際の動作について説明する。
【００８６】
図３は、本発明にかかる実施形態において、被検体ＳＵの撮影領域をイメージングする際に、その被検体ＳＵに音声情報を提供するときに実施するデータ処理を示すフロー図である。また、図４は、本発明にかかる実施形態において、被検体ＳＵの撮影領域をイメージングする際に、その被検体ＳＵに音声情報を提供するときに実施するデータ処理の内容を示す図である。図５は、本発明にかかる実施形態において、図４に次いで、被検体ＳＵの撮影領域をイメージングする際に、その被検体ＳＵに音声情報を提供するときに実施するデータ処理の内容を示す図である。図６は、本発明にかかる実施形態において、図５に次いで、被検体ＳＵの撮影領域をイメージングする際に、その被検体ＳＵに音声情報を提供するときに実施するデータ処理の内容を示す図である。図７は、本発明にかかる実施形態において、図６に次いで、被検体ＳＵの撮影領域をイメージングする際に、その被検体ＳＵに音声情報を提供するときに実施するデータ処理の内容を示す図である。図４と図５と図６と図７とにおいては、図４（ａ），図４（ｂ），図４（ｃ），図５（ｄ），図５（ｅ），図６（ｆ），図６（ｇ），図７（ｈ），図７（ｉ）の順にて、被検体ＳＵに音声情報を提供するときに実施するデータ処理の内容を示している。
【００８７】
音声を再生出力する際においては、まず、図３に示すように、音声データの入力が実施される（Ｓ１１）。
【００８８】
ここでは、図４（ａ）に示すように、基準速度で再生した際の時間が所定の再生時間Ｉになる音声データＤが記憶部３４から音声データ処理部３１１へ入力される。たとえば、「呼吸を停止してください」などの呼吸ガイド情報を示す音声データＤを入力する。
【００８９】
つぎに、図３に示すように、再生速度倍率の設定を実施する（Ｓ２１）。
【００９０】
ここでは、基準速度で再生した際の時間が所定の再生時間Ｉになる音声データＤを、所望の再生時間Ｉｅにて再生するように、再生速度倍率Ｖの設定を実施する。
【００９１】
たとえば、被検体において流れる血液中に造影剤を注入し、その注入された造影剤が、その被検体にてイメージングが実施される撮影領域に到達するまでの間の時間を、再生時間Ｉｅとして算出し、その算出した再生時間Ｉｅにて再生するように、音声データＤの再生速度倍率Ｖを設定する。
【００９２】
具体的には、その所望の再生時間Ｉｅを、基準速度で再生した際の時間である所定の再生時間Ｉで割るように音声データ処理部３１１がデータ処理を実施することによって、再生速度倍率Ｖを算出して設定する。
【００９３】
つぎに、図３に示すように、音声データブロックを設定する（Ｓ３１）。
【００９４】
ここでは、図４（ｂ）に示すように、デジタル信号として入力された音声データＤを等しい時間間隔で区画することによって、複数の音声データブロックＢｎ（ｎ＝１，２，・・・，ｉ）（ｉは整数）に、音声データ処理部３１１の音声データブロック設定部４１１が設定する。
【００９５】
具体的には、時間軸ｔにおける長さ（時間間隔）Ｉｉｎが複数の音声データブロックＢｎにおいて互いに同じになるように、ＯＬＡ法に基づいて音声データＤを等しい時間間隔で区画する。ここでは、前述したように、音声データＤのそれぞれの長さＩｉｎが、所定値Ｉｏｕｔに再生速度倍率Ｖを乗算した値になるように、音声データＤのそれぞれの長さＩｉｎを規定し、音声データＤの始点から、順次、区画する。たとえば、所定値Ｉｏｕｔを９０ｍｓとし、基準速度に対して２倍の再生速度にする際には、音声データブロックＢｎの長さＩｉｎを、１８０ｍｓとする。
【００９６】
たとえば、図４（ｂ）に示すように、音声データＤの時間軸ｔにおける始点から所定の時間間隔Ｉｉｎを隔てた時点までの範囲を、第１音声データブロックＢ１として区画する。そして、その第１音声データブロックＢ１の時間軸における終点から所定の時間間隔Ｉｉｎを隔てた時点までの範囲を、第２音声データブロックＢ２として区画する。さらに、第２音声データブロックＢ２の時間軸ｔにおける終点から所定の時間間隔Ｉｉｎを隔てた時点までの範囲を、第３音声データブロックＢ３として区画する。
【００９７】
つぎに、図３に示すように、音声データセグメントの設定を実施する（Ｓ４１）。
【００９８】
ここでは、図４（ｃ）に示すように、設定された音声データブロックＢｎのそれぞれに対応するように、音声データＤに複数の音声データセグメントＳｎ（ｎ＝１，２，・・・，ｉ）（ｉは整数）を、音声データ処理部３１１のセグメント設定部４２１が設定する。
【００９９】
具体的には、音声データブロックＢｎにおける時間軸ｔの始点に、音声データセグメントＳｎにおける時間軸ｔの始点が対応すると共に、音声データセグメントＳｎのそれぞれを、時間軸ｔにおける長さＬＳが同じになるように規定する。ここでは、前述したＯＬＡ法と同様に、所定値Ｉｏｕｔに、後述の各オーバーラップ領域Ｓｎａ，Ｓｎｂの長さＬＯを加算した値を、音声データセグメントＳｎの長さＬＳとして設定する。たとえば、上記のように所定値Ｉｏｕｔを９０ｍｓとし、各オーバーラップ領域Ｓｎａ，Ｓｎｂの長さＬＯを１０ｍｓとすることによって、音声データセグメントＳｎの長さＬＳを、１００ｍｓとする。
【０１００】
たとえば、図４（ｃ）に示すように、第１音声データブロックＢ１における時間軸ｔの始点から、所定の時間間隔ＬＳを隔てた時点までの範囲を、第１音声データセグメントＳ１として規定する。そして、第２音声データブロックＢ２における時間軸ｔの始点から、所定の時間間隔ＬＳを隔てた時点までの範囲を、第２音声データセグメントＳ２として規定する。また、第３音声データブロックＢ３における時間軸ｔの始点から、所定の時間間隔ＬＳを隔てた時点までの範囲を、第３音声データセグメントＳ３として規定する。
【０１０１】
つぎに、図３に示すように、音声データセグメントの長さと位置の調整を実施する（Ｓ５１）。
【０１０２】
ここでは、上記のように設定された音声データセグメントＳｎのそれぞれについて、時間軸における位置および長さを、音声データ処理部３１１のセグメント調整部４３１が調整する。
【０１０３】
具体的には、図５（ｄ）に示すように、まず、ＷＳＯＬＡ法の場合と同様に、上記にて設定された音声データセグメントＳｎのそれぞれにおいて、時間軸の始点から所定時間が経過した領域を第１シミラリティ算出領域Ｍｎａとして設定すると共に、時間軸の終点から所定時間が遡った領域を第２シミラリティ算出領域Ｍｎｂとして、セグメント調整部４３１のシミラリティ算出領域設定部４３２が設定する。
【０１０４】
そして、複数の音声データセグメントＳｎにて時間軸に沿うように順次並ぶ２つの音声データセグメントＳｎ，Ｓｎ＋１において、先の音声データセグメントＳｎに設定された第２シミラリティ算出領域Ｍｎｂの音声データの波形と、後の音声データセグメントＳｎ＋１に設定された第１シミラリティ算出領域Ｍ（ｎ＋１）ａの音声データの波形との間のシミラリティを算出する処理を、シミラリティ算出部４３３が実施する。
【０１０５】
たとえば、先の音声データセグメントＳｎに設定された第２シミラリティ算出領域Ｍｎｂの音声データの波形と、第２音声データセグメントＳ（ｎ＋１）ａに設定された第１シミラリティ算出領域Ｍ（ｎ＋１）ａの音声データの波形との相互相間関数値を、シミラリティとして算出する。
【０１０６】
本実施形態においては、各音声データセグメントＳｎの時間軸における長さおよび位置を変動させた範囲において、上記のシミラリティを算出する。つまり、音声データセグメントＳｎの時間軸における位置だけでなく、前述したＷＳＯＬＡ法の場合と異なり、音声データセグメントＳｎの時間軸における長さを変動させ、その変動させた位置のそれぞれにおいてシミラリティを算出する。
【０１０７】
具体的には、時間軸に沿うように順次並ぶ２つの音声データセグメントＳｎ，Ｓｎ＋１にて、先の音声データセグメントＳｎの終点の位置を初期位置Ｐｎｅから所定の間隔ｄごと順次シフトさせると共に、後の音声データセグメントＳｎ＋１の始点の位置を初期位置Ｐ（ｎ＋１）ｓから所定の間隔ｄごと順次シフトさせて、それぞれの組合せに係るシミラリティを順次算出する。
【０１０８】
たとえば、図５（ｄ）に示すように、第１音声データセグメントＳ１の終点の位置Ｐ１ｅを初期位置（０）から、後の第２音声データセグメントＳ２に対して近づくように、所定の間隔（＋ｄ，＋２ｄ）ごとシフトさせると共に、第２音声データセグメントＳ２に対して遠ざかるように、所定の間隔（−ｄ，−２ｄ）ごとシフトさせる。また、第２音声データセグメントＳ２の始点の位置Ｐ２ｓを初期位置から、先の第１音声データセグメントＳ１に対して近づくように、所定の間隔（−ｄ，−２ｄ）ごとシフトさせると共に、第１音声データセグメントＳ１に対して遠ざかるように、所定の間隔（＋ｄ，＋２ｄ）ごとシフトさせる。そして、各位置にシフトされた場合の組合せのそれぞれに対応するように、複数のシミラリティを算出する。
【０１０９】
図８は、本発明にかかる実施形態において、複数の音声データセグメントにて時間軸に沿うように順次並ぶ２つの音声データセグメントについて算出される複数のシミラリティを示す図である。
【０１１０】
図８に示すように、たとえば、先の音声データセグメントＳｎの終点の位置Ｐｎｅを初期位置（０）から所定の間隔（ｄ１＝−２ｄ，−ｄ，０，＋ｄ，＋２ｄ）ごと順次シフトさせると共に、後の音声データセグメントＳｎ＋１の始点の位置Ｐ（ｎ＋１）ｓを初期位置（０）から所定の間隔（ｄ２＝−２ｄ，−ｄ，０，＋ｄ，＋２ｄ）ごと順次シフトさせて、それぞれの組合せに係るシミラリティＳｍ（ｄ１，ｄ２）を順次算出する。つまり、図８に示すように、先の音声データセグメントＳｎの終点の位置Ｐｎｅと、後の音声データセグメントＳｎ＋１の始点の位置Ｐ（ｎ＋１）ｓとによって規定される各マトリクスを埋めるように、順次、シミラリティＳｍ（ｄ１，ｄ２）を算出する。
【０１１１】
たとえば、図８に示す表において、第１列において並ぶ複数のシミラリティＳｍ（−２ｄ，−２ｄ），Ｓｍ（−２ｄ，−ｄ），Ｓｍ（−２ｄ，０），Ｓｍ（−２ｄ，＋ｄ），Ｓｍ（−２ｄ，＋２ｄ）を順次算出する。その後、第２列において並ぶ複数のシミラリティＳｍ（−ｄ，−２ｄ），Ｓｍ（−ｄ，−ｄ），Ｓｍ（−ｄ，０），Ｓｍ（−ｄ，＋ｄ），Ｓｍ（−ｄ，＋２ｄ）を順次算出する。そして、同様に、第３列，第４列，第５列の順に、列方向に並ぶシミラリティＳｍ（ｄ１，ｄ２）を順次算出する。
【０１１２】
そして、上記のように複数の音声データセグメントＳｎの時間軸における長さおよび位置を変動させた範囲において算出されるシミラリティＳｍ（ｄ１，ｄ２）が最大値になるように、各音声データセグメントＳｎの長さおよび位置を、セグメント調整部４３１が調整する。
【０１１３】
たとえば、図８にて太い実線で囲って示すように、第１音声データセグメントＳ１の終点を初期位置から第２音声データセグメントＳ２の側へ所定間隔（＋ｄ）をシフトさせて、第１音声データセグメントＳ１が初期よりも長い時間間隔（ＬＳ＋ｄ）になった場合であって、第２音声データセグメントＳ２の始点を初期位置から第１音声データセグメントＳ１の側へ所定間隔（−ｄ）をシフトさせた場合に算出されるシミラリティＳｍ（＋ｄ，−ｄ）が最大値になる場合には、図５（ｅ）に示すように、その位置に対応するように、第１音声データセグメントＳ１の長さと、第２音声データセグメントＳ２の位置とを調整する。
【０１１４】
すなわち、図５（ｅ）に示すように、第１音声データセグメントＳ１の終点の位置Ｐ１ｅを初期位置（０）から、その求められた間隔（＋ｄ）に対応するようにシフトさせることによって、第１音声データセグメントＳ１の長さを、初期の長さＬＳよりも長い長さ（ＬＳ＋ｄ）に調整する。そして、さらに、第２音声データセグメントＳ２の始点の位置Ｐ２ｓを、初期位置（０）から、その求められた位置（−ｄ）に対応するようにシフトさせることによって、第２音声データセグメントＳ２の位置を調整する。
【０１１５】
そして、第１音声データセグメントＳ１と第２音声データセグメントＳ２との間におけるシミラリティを上記のように算出した後には、この次に時間軸ｔに沿って並ぶ２つの音声データセグメントの間におけるシミラリティを上記と同様にして算出する。
【０１１６】
ここでは、上記にてデータ処理を実施した時間軸ｔに沿って並ぶ２つの音声データセグメントＳｎ，Ｓｎ＋１において、先の音声データセグメントＳｎの長さの平均値が、初期の長さＬＳから別の長さになるように変動された場合には、その次に時間軸ｔに沿って並ぶ２つの音声データセグメントＳｎ＋１，Ｓｎ＋２における先の音声データセグメントＳｎ＋１の長さを、上記にて変動した長さで差分するように調整する。
【０１１７】
具体的には、上記のデータ処理では、時間軸ｔに沿って並ぶ第１および第２の音声データセグメントＳ１，Ｓ２において、先に位置する第１音声データセグメントＳ１の長さＬＳ１を、初期の長さの平均値ＬＳから別の長さ（ＬＳ＋ｄ）に変動するように調整している。このため、図６（ｆ）に示すように、第１および第２の音声データセグメントＳ１，Ｓ２の次に、時間軸ｔに沿って並ぶ第２および第３の音声データセグメントＳ２，Ｓ３において、先に位置する第２音声データセグメントＳ２の長さＬＳ２を、その初期の長さＬＳから、上記にて変動した長さｄで差分した長さ（ＬＳ−ｄ）になるように調整する。
【０１１８】
そして、第２音声データセグメントＳ２と第３音声データセグメントＳ３との間におけるシミラリティを、第１音声データセグメントＳ１と第２音声データセグメントＳ２との間にてシミラリティを算出した場合と同様にして、算出する。
【０１１９】
すなわち、図６（ｆ）に示すように、第２音声データセグメントＳ２の終点の位置Ｐ２ｅを初期位置（０）から所定の間隔（ｄ１＝−２ｄ，−ｄ，０，＋ｄ，＋２ｄ）ごと順次シフトさせると共に、その第２音声データセグメントＳ２の後に位置する第３音声データセグメントＳ３の始点の位置Ｐ３ｓを初期位置（０）から所定の間隔（ｄ２＝−２ｄ，−ｄ，０，＋ｄ，＋２ｄ）ごと順次シフトさせて、それぞれの組合せに係るシミラリティＳｍ（ｄ１，ｄ２）を順次算出する。
【０１２０】
そして、上記と同様に、第２音声データセグメントＳ２の長さと、第３音声データセグメントＳ３の位置を変動させた範囲にて算出される複数のシミラリティＳｍ（ｄ１，ｄ２）において、シミラリティＳｍ（ｄ１，ｄ２）が最大値になる第２音声データセグメントＳ２の長さと、第３音声データセグメントＳ３の位置を抽出し、その長さおよび位置になるように、第２音声データセグメントＳ２の長さと、第３音声データセグメントＳ３の位置とを調整する。
【０１２１】
たとえば、第２音声データセグメントＳ２の終点および第３音声データセグメントＳ３の始点が、初期位置（０）である場合に算出されるシミラリティＳｍ（０，０）が最大値になる場合には、図６（ｇ）に示すように、第２音声データセグメントＳ２の長さと、第３音声データセグメントＳ３の位置とを保持させるように調整する。
【０１２２】
このようなデータ処理を繰り返し実施することによって、各音声データセグメントＳｎの長さと位置の調整を実施する。
【０１２３】
つぎに、図３に示すように、音声再生データの生成を実施する（Ｓ６１）。
【０１２４】
ここでは、上記にて調整された音声データセグメントＳｎのそれぞれを、時間軸ｔに沿うように互いにオーバーラップさせて結合することによって、音声データ処理部３１１の音声再生データ生成部４４１が、音声再生データを生成する。
【０１２５】
本実施形態においては、図７（ｈ）に示すように、上記にて設定した第１シミラリティ算出領域Ｍｎａと同じ領域を第１オーバーラップ領域Ｓｎａとして設定すると共に、第２シミラリティ算出領域Ｍｎｂと同じ領域を第２オーバーラップ領域Ｓｎｂとして設定する。
【０１２６】
その後、図７（ｉ）に示すように、上記にて設定された第１オーバーラップ領域Ｓｎａと第２オーバーラップ領域Ｓｎｂとを、順次、時間軸ｔに沿って、互いがオーバーラップするように結合させることによって、音声再生データＤＳを生成する。
【０１２７】
具体的には、第１音声データセグメントＳ１に設定された第２オーバーラップ領域Ｓ１ｂと、その第１音声データセグメントＳ１に時間軸ｔにて並ぶ第２音声データセグメントＳ２に設定された第１オーバーラップ領域Ｓ２ａとを、互いがオーバーラップするように結合させる。
【０１２８】
そして、各音声データセグメントＳｎについて、順次、同様に処理を実施する。つまり、第２音声データセグメントＳ２と第３音声データセグメントＳ３とにおいて、同様な処理を実施後、第３音声データセグメントＳ３と第４音声データセグメントＳ４において、同様な処理を実施するように、データ処理を繰り返すことによって、音声再生データＤＳを生成する。
【０１２９】
ここでは、前述のＯＬＡ法と同様に、各音声データセグメントＳｎの後段に設けられた第２オーバーラップ領域Ｓｎｂにおける音声データと、その次の音声データセグメントＳｎ＋１の前段に設けられた第１オーバーラップ領域Ｓ（ｎ＋１）ａの音声データとを合成し、その互いのオーバーラップ領域Ｓｎａ，Ｓ（ｎ＋１）ｂにおける音声データのパワーをノーマライズしている。たとえば、各音声データセグメントＳｎに、台形形状のウィンドウ関数を積算した後に合成する。
【０１３０】
つぎに、図３に示すように、音声の再生出力を実施する（Ｓ７１）。
【０１３１】
ここでは、上記のように音声データ処理部３１１が音声データを変換して出力する音声再生データに基づいて、音声情報提供部１６が被検体ＳＵに音声情報を提供する。
【０１３２】
そして、被検体ＳＵの撮影領域についてスキャンを実施する。ここでは、上述したように、スキャン部２が被検体ＳＵについてスキャンを実施することによって、磁気共鳴信号を収集する。その後、スキャンを実行することによって収集された磁気共鳴信号をローデータとし、画像生成部３１２が被検体ＳＵの撮影領域について磁気共鳴画像を生成する。そして、その生成された磁気共鳴画像を、表示部３３が表示画面に表示する。
【０１３３】
以上のように、本実施形態においては、音声データセグメントＳｎの時間軸における位置および長さを変動させ、その変動させた位置のそれぞれにおいてシミラリティを算出する。そして、その複数の音声データセグメントＳｎの時間軸における長さおよび位置を変動させた範囲において算出されるシミラリティＳｍ（ｄ１，ｄ２）が最大値になるように、各音声データセグメントＳｎの長さおよび位置を調整する。その後、上記にて調整された音声データセグメントＳｎのそれぞれを、時間軸ｔに沿うように互いにオーバーラップさせて結合することによって音声再生データＤＳを生成する。このように、本実施形態は、ＷＳＯＬＡ法の場合と異なり、音声データセグメントＳｎの時間軸における位置だけでなく、音声データセグメントＳｎの時間軸における長さを変動させ、その変動させた位置のそれぞれにおいてシミラリティを算出している。
【０１３４】
したがって、本実施形態は、音声再生データを連続的することができ、自然な音程で音声が再生されるため、音質を向上させることができる。
【０１３５】
なお、上記の実施形態において、磁気共鳴イメージング装置１は、本発明のイメージング装置に相当する。また、上記の実施形態において、スキャン部２は、本発明のスキャン部に相当する。また、上記の実施形態において、音声情報提供部１６は、本発明の音声情報提供部に相当する。また、上記の実施形態において、音声データ処理部３１１は、本発明の音声データ処理部，音声データ処理装置に相当する。また、上記の実施形態において、音声データブロック設定部４１１は、本発明の音声データブロック設定部に相当する。また、上記の実施形態において、セグメント設定部４２１は、本発明のセグメント設定部に相当する。また、上記の実施形態において、セグメント調整部４３１は、本発明のセグメント調整部に相当する。また、上記の実施形態において、シミラリティ算出領域設定部４３２は、本発明のシミラリティ算出領域設定部に相当する。また、上記の実施形態において、シミラリティ算出部４３３は、本発明のシミラリティ算出部に相当する。また、上記の実施形態において、音声再生データ生成部４４１は、本発明の音声再生データ生成部に相当する。また、上記の実施形態において、オーバーラップ領域設定部４４２は、本発明のオーバーラップ領域設定部に相当する。
【０１３６】
また、本発明の実施に際しては、上記した実施形態に限定されるものではなく、種々の変形例を採用することができる。
【０１３７】
たとえば、上記の実施形態においては、相互相間関数値を、シミラリティとして算出する場合について説明しているが、これに限定されない。
たとえば、ＡＭＤＦ（Ａｖｅｒａｇｅ  Ｍａｇｎｉｔｕｄｅ  Ｄｉｆｆｅｒｅｎｃｅ  Ｆｕｎｃｔｉｏｎ）を、シミラリティとして算出してもよい。
【０１３８】
また、上記の実施形態においては、第１シミラリティ算出領域を第１オーバーラップ領域として設定すると共に、第２シミラリティ算出領域を第２オーバーラップ領域として設定する場合について説明しているが、これに限定されない。
【０１３９】
また、上記の実施形態においては、シミラリティ算出領域設定部４３２が、音声データセグメントの時間軸の始点側に位置する所定領域を第１シミラリティ算出領域として設定すると共に、当該音声データセグメントの時間軸の終点側に位置する所定領域を第２シミラリティ算出領域として設定する場合について、例示したが、これに限定されない。ここでは、音声データセグメント以外の領域に、第１シミラリティ算出領域および第２シミラリティ算出領域を設定してもよい。
【０１４０】
また、たとえば、本実施形態においては、磁気共鳴イメージング装置に適用する場合ついて説明しているが、これに限定されない。たとえば、Ｘ線ＣＴ装置など、他のイメージング装置において適用してもよい。また、さらに、本実施形態に係る音声データ処理部３１１を、音声データ処理装置として独立させて使用してもよい。
【図面の簡単な説明】
【０１４１】
【図１】図１は、本発明にかかる実施形態において、磁気共鳴イメージング装置１の構成を示す構成図である。
【図２】図２は、本発明にかかる実施形態において、音声データ処理部３１１を示す機能ブロック図である。
【図３】図３は、本発明にかかる実施形態において、被検体ＳＵの撮影領域をイメージングする際に、その被検体ＳＵに音声情報を提供するときに実施するデータ処理を示すフロー図である。
【図４】図４は、本発明にかかる実施形態において、被検体ＳＵの撮影領域をイメージングする際に、その被検体ＳＵに音声情報を提供するときに実施するデータ処理の内容を示す図である。
【図５】図５は、本発明にかかる実施形態において、図４に次いで、被検体ＳＵの撮影領域をイメージングする際に、その被検体ＳＵに音声情報を提供するときに実施するデータ処理の内容を示す図である。
【図６】図６は、本発明にかかる実施形態において、図５に次いで、被検体ＳＵの撮影領域をイメージングする際に、その被検体ＳＵに音声情報を提供するときに実施するデータ処理の内容を示す図である。
【図７】図７は、本発明にかかる実施形態において、図６に次いで、被検体ＳＵの撮影領域をイメージングする際に、その被検体ＳＵに音声情報を提供するときに実施するデータ処理の内容を示す図である。
【図８】図８は、本発明にかかる実施形態において、複数の音声データセグメントにて時間軸に沿うように順次並ぶ２つの音声データセグメントについて算出される複数のシミラリティを示す図である。
【図９】図９は、ＯＬＡ法によって、音声データを再生する際の再生速度の倍率に対応するように、音声データを音声再生データに変換するデータ処理を示す図である。
【図１０】図１０は、ＯＬＡ法によって、音声データを再生する際の再生速度の倍率に対応するように、音声データを音声再生データに変換するデータ処理を示す図である。
【図１１】図１１は、ＷＳＯＬＡ法によって、音声データを再生する際の再生速度の倍率に対応するように、音声データを音声再生データに変換するデータ処理を示す図である。
【図１２】図１２は、ＷＳＯＬＡ法によって、音声データを再生する際の再生速度の倍率に対応するように、音声データを音声再生データに変換するデータ処理を示す図である。
【符号の説明】
【０１４２】
１：磁気共鳴イメージング装置（イメージング装置）、２：スキャン部（スキャン部）、３：操作コンソール部、１２：静磁場マグネット部、１３：勾配コイル部、１４：ＲＦコイル部、１５：被検体移動部、１５ａ：クレードル部、１５ｂ：クレードル移動部、１６：音声情報提供部（音声情報提供部）、２２：ＲＦ駆動部、２３：勾配駆動部、２４：データ収集部、３０：制御部、３１：データ処理部、３２：操作部、３３：表示部、３４：記憶部、３１１：音声データ処理部（音声データ処理部）、３１２：画像生成部、４１１：音声データブロック設定部（音声データブロック設定部）、４２１：セグメント設定部（セグメント設定部）、４３１：セグメント調整部（セグメント調整部）、４３２：シミラリティ算出領域設定部（シミラリティ算出領域設定部）、４３３：シミラリティ算出部（シミラリティ算出部）、４４１：音声再生データ生成部（音声再生データ生成部）、４４２：オーバーラップ領域設定部（オーバーラップ領域設定部）、Ｂ：撮像空間
【図１】
2010017216.tif 000003
【図２】
2010017216.tif 000004
【図３】
2010017216.tif 000005
【図４】
2010017216.tif 000006
【図５】
2010017216.tif 000007
【図６】
2010017216.tif 000008
【図７】
2010017216.tif 000009
【図８】
2010017216.tif 000010
【図９】
2010017216.tif 000011
【図１０】
2010017216.tif 000012
【図１１】
2010017216.tif 000013
【図１２】
2010017216.tif 000014